(57)【特許請求の範囲】
【請求項１】
空気吸込口と、空気吐出口と、空気吸込口から空気吐出口に至る風洞に配置される空気清浄フィルター及び送風装置と、蒸気発生装置と、蒸気吐出口と、蒸気発生装置にて発生された蒸気を蒸気吐出口へと送る蒸気通路とを具備する加湿器付空気清浄器であって、空気清浄フィルターにて清浄化された空気と蒸気発生装置にて発生された蒸気とを混合する混合手段を設け、空気清浄フィルターにて清浄化された空気の流れを主流と副流に分岐して副流を蒸気通路に導入する副流導入路を設け、副流導入路を流れる副流の一部を主流に送るバイパス路を設けて成ることを特徴とする加湿器付空気清浄器。
【請求項２】
蒸気副流導入路との接続位置よりも上流側において、蒸気通路に蒸気の流路を絞ることにより、下流側に流れる蒸気の流速を加速する絞り部を設けて成ることを特徴とする請求項１に記載の加湿器付空気清浄器。
【請求項３】
絞り部は蒸気流路を仕切る絞り板に形成した小穴よりなることを特徴とする請求項２に記載の加湿器付空気清浄器。
【請求項４】
蒸気発生装置はヒータにより水を沸騰させて蒸気を発生するものであることを特徴とする請求項１乃至３のいずれかに記載の加湿器付空気清浄器。
【請求項５】
先端に蒸気吐出口を備えた蒸気吐出管を設け、この蒸気吐出管を空気吐出口側へ向かう方向に向けて形成すると共に、前記空気吐出口の上端よりも下方に前記蒸気吐出口を設けて成ることを特徴とする請求項１乃至４のいずれかに記載の加湿器付空気清浄器。
【発明の詳細な説明】
【０００１】
【発明の属する技術分野】
本発明は、空気清浄器に加湿機能が付与された加湿器付空気清浄器に関するものである。
【０００２】
【従来の技術】
従来の加湿器付空気清浄器Ａ′は、図９に示されるように、浄化された空気が吐出される空気吐出口２′と、蒸気が吐出される蒸気吐出口７′が別個に形成され、この空気吐出口２′と蒸気吐出口７′は加湿器付空気清浄器Ａ′の上面に形成されていたものであった。そのため空気吸込口１′から吸入されて加湿器付空気清浄器Ａ′内で浄化された空気と、加湿器付空気清浄器Ａ′内で発生された蒸気とは上方へ別々に吐出されるものであった。
【０００３】
【発明が解決しようとする課題】
しかし、上記のような従来の加湿器付空気清浄器Ａ′では、図８に示されるように、浄化された空気５７は室内等の空間５６を循環して空間５６内の空気を清浄化するが、蒸気５８は上方に向かった後滞留し、主に加湿器付空気清浄器Ａ′の上方のみを加湿することとなって、室内等の空間５６全体を加湿することができないものであった。
【０００４】
本発明は上記の点に鑑みてなされたものであり、室内等の空間内の空気を清浄化すると共に室内等の空間全体を効率よく加湿することができる加湿器付空気清浄器を提供することを目的とするものである。
【０００５】
【課題を解決するための手段】
本発明の請求項１に係る加湿器付空気清浄器は、空気吸込口１と、空気吐出口２と、空気吸込口１から空気吐出口２に至る風洞３に配置される空気清浄フィルター４及び送風装置５と、蒸気発生装置６と、蒸気吐出口７と、蒸気発生装置６にて発生された蒸気を蒸気吐出口７へと送る蒸気通路８とを具備する加湿器付空気清浄器Ａであって、空気清浄フィルター４にて清浄化された空気と蒸気発生装置６にて発生された蒸気とを混合する混合手段を設け、空気清浄フィルター４にて清浄化された空気の流れを主流と副流に分岐して副流を蒸気通路８に導入する副流導入路９を設け、副流導入路９を流れる副流の一部を主流に送るバイパス路１２を設けて成ることを特徴とするものである。
【０００６】
また本発明の請求項２に係る加湿器付空気清浄器は、請求項１の構成に加えて、上記副流導入路９との接続位置よりも上流側において、蒸気通路８に蒸気の流路を絞ることにより、下流側に流れる蒸気の流速を加速する絞り部１０を設けて成ることを特徴とするものである。
【０００７】
また本発明の請求項３に係る加湿器付空気清浄器は、請求項２の構成に加えて、絞り部１０は蒸気通路８を仕切る絞り板に形成した小穴よりなることを特徴とするものである。
【０００８】
また本発明の請求項４に係る加湿器付空気清浄器は、請求項１乃至３のいずれかの構成に加えて、蒸気発生装置６はヒータ２６により水を沸騰させて蒸気を発生するものであることを特徴とするものである。
【０００９】
また本発明の請求項５に係る加湿器付空気清浄器は、請求項１乃至４のいずれかの構成に加えて、先端に蒸気吐出口７を備えた蒸気吐出管２８を設け、この蒸気吐出管２８を空気吐出口２側へ向かう方向に向けて形成すると共に、前記空気吐出口２の上端よりも下方に前記蒸気吐出口７を設けて成ることを特徴とするものである。
【００１２】
【発明の実施の形態】
以下、本発明の実施の形態を説明する。
【００１３】
本発明の加湿器付空気清浄器Ａのハウジング３７には、図５に示すように、ハウジング３７の前面側を構成する前面パネル２０の上部に空気吐出口２が開口して形成されており、空気吐出口２には複数の略水平方向の送風ルーバ１７が略平行に配設されている。この送風ルーバ１７は上下方向に回動自在に形成され、空気の送風方向が調節される。前面パネル２０における空気吐出口２の側方には蒸気導出穴２９が開口して形成されており、この蒸気導出穴２９の前面側には、複数の略水平方向の加湿ルーバ３３が略平行に配設されている。この加湿ルーバ３３は上下方向に回動自在に形成され、蒸気の送風方向が調節される。また前面パネル２０には操作パネル３４が一体に設けられている。またハウジング３７の背面には、複数の略水平方向のスリットを略平行に形成してなるグリルが設けられ、このグリルが空気吸込口１を構成している。
【００１４】
図１に示すように、空気清浄器Ａ内には一側に空気清浄装置１３が、他側に蒸気発生装置６が形成されており、すなわち空気吐出口２が形成されている側に空気清浄装置１３が、蒸気導出穴２９が形成されている側に蒸気発生装置６が配設されている。
【００１５】
空気清浄装置１３内に空気吸込口１と連通する風洞３が形成されている。この風洞３内の背面側には空気清浄フィルター４が配設され、前面側には送風装置５として送風ファン５ａが配設されている。この送風ファン５ａはシロッコファンにて構成され、回転することにより背面側から空気を吸い込み、この空気を周囲に送風するものである。また風洞３には送風ファン５ａを囲むようにケーシング１４が配設されている。このケーシング１４は風洞３の上部から送風ファン５ａの蒸気発生装置６とは反対側の側方に向かい、更に送風ファン５ａの下方から蒸気発生装置６側の側方に向かって、風洞３の蒸気発生装置６側の壁面を構成する。このケーシング１４と送風ファン５ａとの間の空間及びこの空間から空気吐出口２に亘る空間は浄化空気路３５を構成している。送風ファン５ａとケーシング１４の間において、浄化空気路３５は、送風ファン５ａの周囲に沿って上方から蒸気発生装置６とは反対側の側方に向かい、更に下方から蒸気発生装置６側に向かうように形成されており、それに従って浄化空気路３５の幅、すなわちケーシング１４と送風ファン５ａとの間の幅が大きくなるように形成されている。また浄化空気路３５には、分岐突部１６が送風ファン５ａの蒸気発生装置６側の上方から下方に突出されて形成されており、分岐突部１６の下端は分岐舌部１５として形成されている。浄化空気路３５は、この分岐突部１６よりも送風ファン５ａ側の主流路３６と、分岐突部１６よりも蒸気発生装置６側の副流導入路９に分岐されている。主流路３６の上部、すなわち下流側は空気吐出口２と連通されており、副流導入路９の上部、すなわち下流側は蒸気発生装置６に連通されている。ここでケーシング１４の前端は、前面パネル２０の背面２０ａに隙間なく接触されており、分岐突部１６の前端は前面パネル２０の背面２０ａと離間されて前面パネル２０と分岐突部１６との間の空間がバイパス路１２として形成されている。
【００１６】
一方、蒸気発生装置６内には、内部に水が供給されるタンク２１が着脱自在に内蔵されている。このタンク２１は乳白色の半透明の容器にて形成されている。タンク２１の下方には加湿ハウジング２２が配設されている。加湿ハウジング２２には、タンク２１と連通する貯水部２３が設けられると共に、ボイラ１１が保持されている。ボイラ１１は上方に開口する耐熱容器にて形成されている。貯水部２３の底部とボイラ１１の底部とは、連通パイプ２４にて連通接続されている。ボイラ１１の周囲にはヒータ２６が配設されている。またボイラ１１には、このボイラ１１の上部開口において蒸気通路８が連通接続されている。蒸気通路８は下方から上方に亘る中空の流路を有する筒体８ａで形成された加湿誘導筒１８と、この加湿誘導筒１８の上部にて連通接続された蒸気吐出管２８にて構成されている。ここで蒸気吐出管２８は加湿誘導筒１８から空気清浄装置１３の空気吐出口２側に向かう斜め前方に突出して形成されており、その先端には蒸気通路８内に連通する蒸気吐出口７が開口されている。ここで蒸気通路８は蒸気吐出口７において前面パネル２０の蒸気導出穴２９に連通するように形成されている。この蒸気吐出口７及び蒸気導出穴２９は、空気吐出口２の上端よりも下方に位置するように配置されている。すなわち図１では、蒸気吐出口７及び蒸気導出穴２９の上端が、空気吐出口２の上端よりも下方に位置するものである。蒸気吐出口７及び蒸気導出穴２９は更に下方に配置して、空気吐出口２よりも下方に位置させても良い。また加湿誘導筒１８内部には、ボイラ１１内において発生する水が沸騰する音を緩和する消音用のバッフル２７が複数形成されている。また加湿誘導筒１８の途中には、蒸気吐出管２８との接続位置よりも下方、すなわち上流側に、補助送風管１９が連通接続されている。この補助送風管１９は、加湿誘導筒１８から空気清浄装置１３側に向けて配設されており、その端部は副流導入路９の下流側に開口されている。すなわち副流導入路９は補助送風管１９を介して加湿誘導筒１８の途中に連通接続されている。
【００１７】
このように構成される加湿器付空気清浄器Ａを作動させると、空気清浄装置１３においては、送風ファン５ａが回転し、空気が空気吸込口１から風洞３内に吸い込まれる。この空気は空気清浄フィルター４を通って清浄化され、更に送風ファン５ａから浄化空気路３５に導入される。浄化空気路３５内において空気はケーシング１４からの抗力により加圧され、浄化空気路３５の幅が広い側、すなわち浄化空気路３５の下流側に向けて流れる。この空気の流れは分岐舌部１５において主流路３６を流れる主流と副流導入路９を流れる副流とに分岐される。空気の主流は空気吐出口２から加湿器付空気清浄器Ａの前方へ吐出される。また副流は副流導入路９から補助送風管１９を介して加湿誘導筒１８内に誘導される。ここで浄化空気路３５の総流量をＬall、主流の流量をＬa、副流の流量をＬbとすると、Ｌall＝Ｌa＋Ｌbの関係となるが、このときＬa＞Ｌbの関係になるようにすることが好ましい。このとき副流の流速が速すぎて副流全てが加湿誘導筒１８内に導入されない場合は、副流の一部がバイパス路１２を通じて主流と合流することとなり、副流導入路９における乱気流の発生が抑制されて、副流導入路９における不要な圧力の発生、すなわち圧損の発生を防ぐと共に、乱気流による風切り音の騒音の発生を防ぐことができる。ここで加湿誘導筒１８内に導入される流量をＬb1、バイパス路１２を通じて主流と合流する流量をＬb2とすると、Ｌb＝Ｌb1＋Ｌb2の関係となる。
【００１８】
一方、蒸気発生装置６においては、タンク２１内の水が貯水部２３に導入され、この貯水部２３に貯まった水が連通パイプ２４を通じてボイラ１１内に導入される。ボイラ１１内の水はヒータ２６によって加熱されて沸騰し、蒸気が発生する。この蒸気は加湿誘導筒１８内を上昇し、加湿誘導筒１８と補助送風管１９との接続部において、補助送風管１９から加湿誘導筒１８内に導入された空気の副流と混合される。すなわちこの加湿誘導筒１８、補助送風管１９及び副流導入路９によって、空気清浄フィルター４にて清浄化された空気と蒸気発生装置６にて発生された蒸気とを混合する混合手段が構成されている。このとき蒸気の流れは副流の流速により押し上げられて加速され、蒸気吐出管２８へ向かう。このとき蒸気は、加湿誘導筒１８内の上下方向に亘る中空な流路を上昇しているので、熱っせられて上方に向かおうとする蒸気は加湿誘導筒１８内で阻害されることなく上昇することとなり、加湿誘導筒１８内における蒸気の流速の低下が抑制されている。またこの加湿誘導筒１８の途中に補助送風管１９を介して接続された副流導入路９から導入された副流は、この蒸気の流れの方向と対向する方向に向かうようなことがなく、蒸気の流速を低下させることがないものであり、蒸気の流速が効率よく上昇されるものである。副流と混合された状態で蒸気吐出管２８へ向かった蒸気は、蒸気吐出口７を経由し、蒸気導出穴２９から加湿器付空気清浄器Ａ外に吐出される。副流と混合された蒸気は加湿器付空気清浄器Ａの、空気吐出口２側に向かう斜め前方に吐出され、空気吐出口２から吐出された空気の主流と合流して混合される。すなわちこのようにして形成された空気吐出口２及び蒸気吐出管２８によって、空気清浄フィルター４にて清浄化された空気と蒸気発生装置６にて発生された蒸気とを混合する混合手段が構成されている。ここで熱せられた蒸気は上方に向かおうとするが、蒸気吐出口７及び蒸気導出穴２９は、空気吐出口２の上端よりも下方に配置されているので、蒸気が吐出される位置は主流が吐出される位置よりも下方となり、上方に向かう蒸気は空気吐出口２から吐出された空気の主流と容易に合流する。そのため図７に示すように加湿器付空気清浄器Ａから吐出された蒸気５８は、室内等の空間５６を循環する清浄化された空気５７の流れと合流された状態で前方に向かって流れてから室内等の空間５６に拡散し、室内等の空間５６全体が効率良く加湿される。
【００１９】
また図１に示される加湿器付空気清浄器Ａにおいては、風洞３内における空気吐出口２近傍の蒸気吐出口７寄りに、イオン化針３０が配設され、このイオン化針３０の下方には、対極として対極板３１が配設されている。このイオン化針３０と対極板３１は、高圧ユニット３２に接続され、高圧ユニット３２を作動させることにより、イオン化針３０が低電位側となるように、イオン化針３０と対極板３１の間に電圧が印可される。加湿器付空気清浄器Ａを作動させながら高圧ユニット３２を作動させてイオン化針３０と対極板３１の間に電圧を印可すると、イオン化針３０の先端付近で空気が電離されてマイナスイオンが発生し、イオン化針３０と対極板３１との間に発生する電気力線に沿ってイオン風が導かれて、人間の体に良いとされるマイナスイオンを添加した浄化空気が、空気吐出口２の蒸気吐出口７寄りから発生する。このマイナスイオンは空気吐出口２から吐出される空気の主流と蒸気吐出口７から吐出される蒸気とが合流する際に蒸気に吸着され、蒸気と共に室内等の空間に効率良く拡散される。尚、このイオン化針３０、対極板３１及び高圧ユニット３２は必ずしも設ける必要はない。
【００２０】
また図１に示されるような加湿器付空気清浄器Ａにおいて、空気吐出口２、蒸気吐出口７及び蒸気導出穴２９を加湿器付空気清浄器Ａの上面に開口させて形成することもできる。この場合、蒸気吐出口７及び蒸気導出穴２９は空気吐出口２の配置され、蒸気吐出管２８は空気吐出口２側に向かう斜め上方に向けて形成される。この場合、加湿器付空気清浄器Ａから吐出された蒸気は清浄化された空気の流れと合流された状態で上方に前方に向かって流れ、清浄化された空気と共に室内等の空間を拡散して室内等の空間全体が効率良く加湿される。
【００２１】
図６に操作パネル３４の拡大図を示して、加湿器付空気清浄器Ａの操作方法を説明する。運転切替（電源入／切）スイッチ３８を押すことにより、加湿器付空気清浄器Ａの空気清浄装置１３が作動して、室内等の空間の空気の清浄化が行われる。運転切替（電源入／切）スイッチ３８を続けて押すことにより、送風ファン５ａの高速運転と低速運転とが切り替わり、更に押すことによって運転が停止される。ここで送風ファン５ａの高速運転時は急速表示ランプ３９が、低速運転時には静音（おやすみ）表示ランプ４０がそれぞれ点灯し、運転停止時は急速表示ランプ３９と静音（おやすみ）表示ランプ４０は共に消灯する。また空気清浄装置１３が作動した状態で加湿（入／切）スイッチ４１を押すと、蒸気発生装置６が作動して、室内等の空間の空気の清浄化と共に加湿が行われる。更に加湿（入／切）スイッチ４１を押すと蒸気発生装置６が停止する。蒸気発生装置６が作動している状態では加湿表示ランプ４２が点灯し、停止している状態では加湿表示ランプ４２が消灯する。ここで空気清浄装置１３が作動していない状態では、加湿（入／切）スイッチ４１を押しても蒸気発生装置６は作動しないようになっている。また空気清浄装置１３の作動中においては、切りタイマースイッチ４３を押すことによりタイマーが作動し、空気清浄装置１３の動作時間を８、４、２又は１時間のいずれかに切り替えることができる。動作時間の切り替えは切りタイマースイッチ４３を続けて押すことにより行われ、動作時間の表示は、複数の動作時間表示ランプ４４のいずれかが点灯することにより行われる。これらの表示ランプはＬＥＤ等で構成される。
【００２２】
また、タンク２１には水位検知用のフロートスイッチが設けられており、蒸気発生装置６の作動中にタンク２１内の水がなくなると、このフロートスイッチが作動して、ヒータ２６への通電が停止されて、ボイラ１１の過熱が防止される。このとき同時に水補給表示ランプ４６が点灯し、使用者に水の補給の必要性を表示する。また操作パネル３４には、タンク２１の水位を視認するための透明な水位確認窓５０が設けられており、タンク２１内の水の量を視認にて確認することもできる。この水位確認窓５０はタンク２１の前面側に配置されており、半透明のタンク２１の外面に透けて見えるタンク２１内の水の水位を、水位確認窓５０を通して視認できるものである。
【００２３】
またボイラ１１にはサーモスイッチが設けられており、水中に含まれるカルシウム等の不純物（スケール）が大量に付着し、ボイラ１１と不純物との熱伝導差に起因するボイラ１１の異常発熱が起こった場合、サーモスイッチが作動してヒータ２６の通電が停止され、ボイラ１１の過熱が防止される。このとき同時に釜洗浄ランプ４７が点灯し、使用者にボイラ１１の洗浄の必要性を表示する。
【００２４】
またこの加湿器付空気清浄器Ａには送風ファン５ａの運転時間を積算して記録する演算回路が内蔵されており、送風ファン５ａの積算運転時間が所定の時間（例えば約６０００時間）に達したら、フィルター交換ランプ４８が点灯し、使用者に空気清浄フィルター４の交換の必要性を表示する。この状態でリセットスイッチ４９を押すと、演算回路に記録された積算運転時間がリセットされると共に、フィルター交換ランプ４８が消灯する。
【００２５】
図２に、加湿器付空気清浄器Ａにおける蒸気通路８の他例を示す。この蒸気通路８は、図１に示す加湿器付空気清浄器Ａの蒸気通路８と同様に構成されているが、加湿誘導筒１８の、補助送風管１９との接続部位よりも上流側に、加湿誘導筒１８内を上流側と下流側とに仕切る絞り板５１が設けられている。この絞り板５１には加湿誘導筒１８内の蒸気の流路の断面積よりも小さい穴が絞り部１０として形成されており、この絞り部１０にて、加湿誘導筒１８内の上流側と下流側とが連通されている。加湿誘導筒１８内の蒸気の流路の内径をＤ1、絞り部１０の内径をＤ2とすると、例えばＤ1：Ｄ2＝１３：１となるように絞り部１０を形成する。ここで絞り板５１に形成する絞り部１０の個数は、１個には限られず、２個以上の適宜の個数の絞り部１０を形成してもよい。また図２中においては絞り部１０は絞り板５１の中央部に形成されているが、中央部以外の適宜の位置に形成しても良い。このような絞り部１０を形成すると、蒸気通路８内の蒸気の流路の断面積が絞り部１０において小さくなり、絞り部１０を通って蒸気通路８の下流側に流れる蒸気の流速が加速される。そしてこの加速された蒸気が、副流導入路９から補助送風管１９を介して加湿誘導筒１８内に供給される副流と混合され、この状態で加湿器付空気清浄器Ａ外に吐出される。そのため蒸気通路８に供給された副流の流速は、蒸気と混合されることによっても減衰されることがなく、流速が加速された蒸気が、充分な流速を有する副流に更に押し上げられて更に加速された状態で加湿器付空気清浄器Ａ外に吐出される。従って加湿器付空気清浄器Ａ外から吐出される蒸気の流速が上昇し、室内等の空間に吐出された蒸気が更に容易に拡散して加湿効率が更に向上することとなる。
【００２６】
また図３に、加湿器付空気清浄器Ａにおけるボイラ１１の他例を示す。このボイラ１１は図１に示すものと同様に、上方に開口する耐熱容器にて形成されているが、底面に上方に突出する凸部５２が設けられている。図３においては凸部５２の上面は、円形状のボイラ１１の底面の直径よりも小さい直径を有する円形状に形成されており、凸部５２の上面はボイラ１１の底面と同心円状に形成されている。例えばボイラ１１の底面の内径をＤa、凸部５２の上面の径をＤbとすると、Ｄa：Ｄb＝２８：１９となるように構成するものである。この凸部５２の周囲におけるボイラ１１の底面は、凸部５２の上面よりも下方に位置する凹部５３として形成されている。また凸部５２の下面から下方に向けて、水供給管５４が設けられている。この水供給管５４は凸部５２の上面において開口し、水供給管５４の内部に水供給流路５５が形成されている。水供給管５４の下端は下方に開口し、この水供給管５４の下端部には連通パイプ２４の端部が連通接続される。このようなボイラ１１を用いると、タンク２１内から貯水部２３、連通パイプ２４を経由してボイラ１１に供給される水は、水供給流路５５を通じて一旦凸部５２の上面に供給されるが、この水は速やかに凹部５３に流れ込む。そのため水は凹部５３内のみに供給されることとなり、ボイラ１１の容量はボイラ１１の内径寸法に比べて小さくなる。またヒータ２６はボイラ１１の外周を囲むように配設されているため、ヒータ２６による水の加熱効率が高くなる。そのため、設計上ボイラ１１の内径を小さくすることができない場合であってもボイラ１１内の水の容量を低減することができ、ボイラ１１内の水がヒータ２６にて加熱されてから沸騰するまでの時間を短縮して蒸気発生装置６の起動効率を向上することができる。
【００２７】
図４に示される加湿器付空気清浄器Ａは、風洞３に配置されている分岐突部１６を、上方に配置される上分体と下方に配置される下分体とに分割して、上分体と下分体との間に主流路３６と副流導入路９とをバイパスするバイパス路１２を形成したものである。この分岐突部１６は図１の場合とは異なり、その前端が前面パネル２０の背面と接触するように形成されている。他の構成は、図１に示される加湿器付空気清浄器Ａと同一である。このようにしてバイパス路１２を形成しても、副流の流速が早すぎて副流全てが加湿誘導筒１８内に導入されない場合は、副流の一部がバイパス路１２を通じて主流と合流することとなり、副流導入路９における乱気流の発生が抑制されて、副流導入路９における不要な圧力の発生、すなわち圧損の発生を防ぐと共に、乱気流による風切り音の騒音の発生を防ぐことができる。ここで加湿誘導筒１８内に導入される流量をＬb1、バイパス路１２を通じて主流と合流する流量をＬb2とすると、Ｌb＝Ｌb1＋Ｌb2の関係となる。
【００２８】
尚、上記いずれの実施形態においても蒸気通路８にサブファンを設けることができ、この場合、蒸気通路８における蒸気の流速をサブファンにて更に加速することができる。
【００２９】
【発明の効果】
上記のように本発明の請求項１に係る加湿器付空気清浄器は、空気吸込口と、空気吐出口と、空気吸込口から空気吐出口に至る風洞に配置される空気清浄フィルター及び送風装置と、蒸気発生装置と、蒸気吐出口と、蒸気発生装置にて発生された蒸気を蒸気吐出口へと送る蒸気通路とを具備する加湿器付空気清浄器であって、空気清浄フィルターにて清浄化された空気と蒸気発生装置にて発生された蒸気とを混合する混合手段を設けたものであり、室内等を循環する清浄化された空気の流れと共に蒸気を室内等の空間に吐出することにより蒸気が加湿器付空気清浄器の上方に滞留することがなくなり、空気を清浄化すると共に室内等の空間内全体を効率よく加湿することができるものである。
【００３０】
また、空気清浄フィルターにて清浄化された空気の流れを主流と副流に分岐して副流を蒸気通路に導入する副流導入路を設けたものであり、蒸気通路内で蒸気の流れと副流とを合流させて蒸気の流速を加速し、加湿器付空気清浄器から吐出される蒸気の流速を加速させることができて、蒸気の加湿器付空気清浄器の上方での滞留を更に抑制して加湿効率を更に向上することができるものであり、また副流と混合されることにより蒸気の温度を低くすることができるものであって、加湿器付空気清浄器から吐出される蒸気に触れることにより火傷することを防ぐことができるものである。
【００３１】
また、副流導入路を流れる副流の一部を主流に送るバイパス路を設けたものであり、副流の流速が速すぎて副流全てが蒸気通路に導入されない場合に、副流の一部を主流と合流させることができ、副流導入路における乱気流の発生を抑制して、副流導入路における不要な圧力の発生、すなわち圧損の発生を防ぐと共に、乱気流による風切り音の騒音の発生を防ぐことができるものである。
【００３３】
また本発明の請求項２に係る加湿器付空気清浄器は、請求項１の構成に加えて、副流導入路との接続位置よりも上流側において、蒸気通路に蒸気の流路を絞ることにより、下流側に流れる蒸気の流速を加速する絞り部を設けたものであり、絞り部を通過させることにより蒸気通路の下流側に流れる蒸気の流速を加速し、この加速された蒸気を副流と合流させることにより、蒸気と混合されることによる副流の流速の減衰を防止し、加速された蒸気を、充分な流速を有する副流にて更に加速することができて、加湿器付空気清浄器外に吐出される蒸気の流速を更に加速し、加湿効率を更に向上することができるものである。
【００３４】
また本発明の請求項５に係る加湿器付空気清浄器は、請求項１乃至４のいずれかの構成に加えて、先端に蒸気吐出口を備えた蒸気吐出管を設け、この蒸気吐出管を空気吐出口側へ向かう方向に向けて形成すると共に、前記空気吐出口の上端よりも下方に前記蒸気吐出口を設けたものであり、熱せられて上昇しようとする蒸気吐出口からの蒸気の流れと空気吐出口から吐出される空気の流れとを加湿器付空気清浄器外において容易に合流させて混合することができ、室内等を循環する清浄化された空気の流れと共に蒸気を室内等の空間に吐出することにより蒸気が加湿器付空気清浄器の上方に滞留することがなくなり、空気を清浄化すると共に室内等の空間内全体を効率よく加湿することができるものである。
【図面の簡単な説明】
【図１】本発明の実施の形態の一例を示すものであり、（ａ）は一部破断した正面図、（ｂ）は一部破断した平面図である。
【図２】（ａ）は同上の実施の形態における蒸気通路の他例を示す一部破断した正面図、（ｂ）は（ａ）のＡ−Ａ断面図である。
【図３】同上の実施の形態におけるボイラの他例を示すものであり、（ａ）は平面図、（ｂ）は正面の断面図である。
【図４】本発明の実施の形態の他例を示す一部破断した正面図である。
【図５】図１又は図４の加湿器付蒸気発生装置の外観を示すものであり、（ａ）は正面図、（ｂ）は側面図、（ｃ）は平面図、（ｄ）は底面図、（ｅ）は背面図である。
【図６】図５（ａ）の一部拡大した正面図である。
【図７】本発明の使用状態を示す概念図である。
【図８】従来技術の使用状態を示す概念図である。
【図９】従来技術を示す斜視図である。
【符号の説明】
１  空気吸込口
２  空気吐出口
３  風洞
４  空気清浄フィルター
５  送風装置
６  蒸気発生装置
７  蒸気吐出口
８  蒸気通路
８ａ  筒体
９  副流導入路
１０  絞り部
１１  ボイラ
１２  バイパス路
【図１】
0003767250.tif 000002
【図２】
0003767250.tif 000003
【図３】
0003767250.tif 000004
【図４】
0003767250.tif 000005
【図５】
0003767250.tif 000006
【図６】
0003767250.tif 000007
【図７】
0003767250.tif 000008
【図８】
0003767250.tif 000009
【図９】
0003767250.tif 000010